(57)【要約】【課題】従来の空気調和機の室外機において、端子箱に複数のターミナルを小さなスペースで配置する。【解決手段】接続ターミナル９と電源ターミナル８とを収納する端子箱１１を備え、端子箱１１の中に上下２段にこれらのターミナル８，９を固定できるスペーサ１２を収納し、スペーサ１２に２個のターミナル８，９をそれぞれ上下段に固定する。これにより、ターミナル８，９を収納する幅方向のスペースを小さくすることが出来、機械室４ａのスペースを大きく取ることが出来る。【選択図】図２
2007285617.tif 000002
【特許請求の範囲】
【請求項１】
基盤上に熱交換器と、室外ファンと、仕切り板にて仕切られた機械室に圧縮機とを配し、冷媒配管を接続する為のバルブを前記機械室の側面に配し、前記機械室の上部に電装部を配し、前記電装部とリード線で接続するための端子と、該端子と導通して外部の室内機と電気的に接続する為の内外接続ケーブルを接続する端子とを有する接続ターミナルと、前記電装部の電源ラインとリード線で接続するための端子と、その端子と導通して外部の電源を室外機に供給するための電源ケーブルを接続する端子とを有する電源ターミナルとを収納する端子箱を備え、前記端子箱の中に上下２段にこれらのターミナルを固定できるスペーサを収納し、前記スペーサに前記２個のターミナルをそれぞれ上下段に固定したことを特徴とする空気調和機の室外機。
【請求項２】
スペーサに固定した２個のターミナルのうち、上部に固定したターミナルの位置が下部に固定したターミナルの位置よりも機械室側に固定され、下部のターミナルの外部からのケーブルを接続する端子部を垂直方向から見て、上部のターミナルとオーバーラップしていない事を特徴とする請求項１に記載の空気調和機の室外機。
【請求項３】
内外接続ケーブルを接続する端子を有する複数の接続ターミナルと電源ケーブルを接続する端子を有する電源ターミナルとを備え、端子箱の中に上下２段にターミナルを固定できるスペーサを複数配置し、該複数のスペーサは隣り合わせた時に互いに向き合う側面にそれぞれ嵌合リブと溝とが形成されるとともに、お互いに前記嵌合リブと前記溝とにより係止され、前記２種類で複数のターミナルをそれぞれ固定したことを特徴とする請求項１に記載の空気調和機の室外機。
【請求項４】
合成樹脂で形成された板状で両端と中央近傍にねじが通過する孔を備えたケーブル押え具で、複数個のターミナルに接続される内外接続ケーブルと電源ケーブルを端子箱に押し付けて、３本のねじで固定するように構成したことを特徴とする請求項１から３のうちいずれか一項に記載の空気調和機の室外機。
【請求項５】
端子箱を金属で形成し、前記端子箱のケーブル押え具に沿った端部を前記ケーブル押え具を固定したねじの先端を覆うように折り曲げたことを特徴とする請求項１から４のうちいずれかに記載の空気調和機の室外機。
【発明の詳細な説明】
【技術分野】
【０００１】
本発明は、室外機のターミナルに関するもので、特に複数の室内機が接続される空気調和機の室外機に関するものである。
【背景技術】
【０００２】
従来、この種の空気調和機においては室内機と室外機とにより構成され、それらは冷凍サイクルの配管のほか、電源や信号を送受信する接続ケーブルにより接続されている。室外機においては、図６と図７に示すように、基盤１上に熱交換器２、室外ファン３を配し、仕切り板４にて仕切られた機械室４ａに圧縮機５を配し、冷媒配管を接続する為のバルブ６を機械室４ａの側面に配し、機械室４ａの上部に電装部７を配置し、その側面に接続ケーブル８を固定するターミナル９とケーブル押え具１０を備えた端子箱１１を配設している（例えば、特許文献１参照）。
【０００３】
また、三相電源により駆動される場合や複数の室内機を備える構成においては、図６に示すように商用電源を供給するためのターミナル９Ａと室内機と電気的に接続するためのターミナル９Ｂを並べて配置し、それぞれのターミナル９Ａ，９Ｂに接続されるケーブル８Ａ，８Ｂを固定するケーブル押え具１０が並列に配置されている。
【特許文献１】実開昭６１−００６１６３号公報
【発明の開示】
【発明が解決しようとする課題】
【０００４】
しかしながら、従来技術に示されるターミナルを並列に並べる方法では幅方向を大きく取る必要が有り機械室内部の部品の配置スペースが制限されるという課題がある。また、複数の室内機を接続する機種においては、さらにターミナルの数を増やさなければならず、ターミナルを設置するスペースを更に大きくしなければならない。
【課題を解決するための手段】
【０００５】
基盤上に熱交換器と、室外ファンと、仕切り板にて仕切られた機械室に圧縮機とを配し、冷媒配管を接続する為のバルブを機械室側面に配し、前記機械室の上部に電装部を配し、前記電装部とリード線で接続するための端子と、該端子と導通して外部の室内機と電気的に接続する為の内外接続ケーブルを接続する端子とを有する接続ターミナルと、前記電装部の電源ラインとリード線で接続するための端子と、その端子と導通して外部の電源を室外機に供給するための電源ケーブルを接続する端子を有する電源ターミナルとを収納する端子箱を備え、ターミナルを上下２段に積むことが出来るスペーサを端子箱の中に設置し、２個のターミナルをそれぞれ上下２段に配置したものである。
【発明の効果】
【０００６】
本発明の空気調和機によれば、上記手段により、ターミナルを収納する幅方向のスペースを小さくすることが出来、機械室のスペースを大きく取ることが出来る。
【発明を実施するための最良の形態】
【０００７】
第１の発明は、基盤上に熱交換器と、室外ファンと、仕切り板にて仕切られた機械室に圧縮機とを配し、冷媒配管を接続する為のバルブを機械室の側面に配し、機械室の上部に電装部を配し、前記電装部とリード線で接続するための端子と、該端子と導通して外部の室内機と電気的に接続する為の内外接続ケーブルを接続する端子とを有する接続ターミナルと、前記電装部の電源ラインとリード線で接続するための端子と、その端子と導通して外部の電源を室外機に供給するための電源ケーブルを接続する端子とを有する電源ターミ
ナルとを収納する端子箱を備え、前記端子箱の中に上下２段にこれらのターミナルを固定できるスペーサを収納し、前記スペーサに前記２個のターミナルをそれぞれ上下段に固定したことを特徴とする。
【０００８】
この発明によれば、ターミナルを２段に配置することが出来、ターミナルを横方向に並列に並べる方式と異なり横方向のスペースを小さくすることが出来、機械室のスペースを大きく取ることが出来る。
【０００９】
第２の発明は、第１の発明において、スペーサに固定した２個のターミナルのうち、上部に固定したターミナルの位置が下部に固定したターミナルの位置よりも機械室側に固定され、下部のターミナルの外部からのケーブルを接続する端子部を垂直方向から見て、上部のターミナルとオーバーラップしていないことを特徴とする。この発明によれば、下側のターミナルにケーブルを接続する時、ねじを締め付けるスクリュードライバーが上側に付けたターミナルが邪魔にならずに締め付けることが出来る。また、ケーブルを接続した後、接続部の安全確認をすることが容易に出来る。
【００１０】
第３の発明は、第１の発明において、内外接続ケーブルを接続する端子を有する複数の接続ターミナルと電源ケーブルを接続する端子を有する電源ターミナルとを備え、端子箱の中に上下２段にターミナルを固定できるスペーサを複数配置し、該複数のスペーサは隣り合わせた時に互いに向き合う側面にそれぞれ勘合リブと溝とが形成されるとともに、お互いに嵌合リブと溝とにより係止され、前記２種類で複数のターミナルをそれぞれ固定したことを特徴とする。この発明によれば、複数の室内機を接続する空気調和機において、ターミナルを少スペースで配置することが出来る。また、スペーサを互いに結合することにより、スペーサを端子箱に取り付ける前にターミナルに電装部につながるリード線を配線することにより、スペーサの取り付け位置の誤りを防止することが出来る。
【００１１】
第４の発明は、第１〜３の発明において、合成樹脂で形成さた板状で両端と中央近傍にねじが通過する孔を備えたケーブル押え具で、複数個のターミナルに接続される内外接続ケーブルと電源ケーブルを端子箱に押し付けて、３本のねじで固定したことを特徴とする。この発明によれば、従来は内外接続ケーブルと電源ケーブルをそれぞれにケーブル押え具を使用し４本のねじで固定していたが、部品点数と取り付けに要する工数を減らすことが出来る。
【００１２】
第５の発明は、第１〜４の発明において、端子箱を金属で形成し、端子箱のケーブル押え具に沿った端部をケーブル押え具を固定したねじの先端を覆うように折り曲げたことを特徴とする。この発明によれば、ケーブル押え具を固定するねじを誤って必要以上の長い物を使用した場合でも、折り曲げられた部分にネジの先端が当たり、間違いを喚起することが出来、機械室内の部品をねじにより傷つけることを防止することが出来る。
【００１３】
以下、本発明の実施の形態について、図面を参照しながら説明する。なお、本実施の形態によって本発明が限定されるものではない。
【００１４】
（実施の形態１）
図１は本発明の実施の形態１における空気調和機の斜視図、図２は同空気調和機の端子箱の斜視図、図３は同空気調和機のスペーサの平面図、図４は同空気調和機のスペーサの斜視図、図５は同空気調和機の端子箱の側面断面図である。
【００１５】
図１に示すように、空気調和機の室外機は、基盤１上に熱交換器２、室外ファン３を配し、仕切り板４にて仕切られた機械室４ａに圧縮機５を配し、冷媒配管を接続する為のバルブ６を機械室４ａの側面に配し、機械室４ａの上部に電装部７を配置している。室外機
の右側面上部には、商用電源を電装部７に供給するための電源ターミナル８と室内機と電気的に接続するための接続ターミナル９とを備えた端子箱１１を配している。
【００１６】
図２に示す様に、電源ケーブル１５が電源ターミナル８に接続され、内外接続ケーブル１６が接続ターミナル９に接続されている。これら２個のターミナル８，９はそれぞれ室外機の電装部７とリード線１７で接続されスペーサ１２に固定されている。スペーサ１２は難燃樹脂製で、上下２段にターミナル８，９を１個ずつ弾性を有する爪１２ａで固定し、更にビス１３は接続ターミナル９をスペーサ１２に，ビス１４は電源ターミナル８をスペーサ１２と共に端子箱１１に固定している。接続ターミナル９は電源ターミナル８の上部に位置し、電源ターミナル８を取り付け面の垂直方向より見た時、電源ターミナル８のケーブルを接続する端子８ａとオーバーラップしない様に電源ターミナル８と略平行に機械室４ａ側にずれている（図３参照）。
【００１７】
また、スペーサ１２の室外機側面側の端部近傍に、端子箱１１に凸部１１Ａを３カ所形成してそれぞれの頂部にねじ孔を設け、ケーブル押え具１０をねじ１８で固定することによりケーブル１５，１６を端子箱１１に押し付けて固定する構造となっている。ケーブル押え具１０は合成樹脂で形成され、断面形状が長方形の板状で両端と中央にねじが通過する孔を備えている。
【００１８】
これらによって、ターミナル８，９を２段に配置することが出来、ターミナル８，９を横方向に並列に並べる方式と異なり横方向のスペースを小さくすることが出来、機械室４ａのスペースを大きく取ることが出来る。また、下側の電源ターミナル８にケーブルを接続する時、ねじを締め付けるスクリュードライバーが上側に付けた接続ターミナル９が機械室４ａ側にずれているため、接続ターミナル９が邪魔にならずに締め付けることが出来、ケーブルを接続した後、接続部の安全確認をすることも容易に出来る。
また、従来は内外接続ケーブル１６と電源ケーブル１５をそれぞれに２個のケーブル押え具を使用し４本のねじで固定していたが、２個を一体化し２本のケーブルを３本のねじで取り付けられるため部品の削減と組立に要する工数を減らすことが出来る。
【００１９】
次に図３、図４に示すように、スペーサ１２の左側面にＴ字形のリブ１２ｂを設け、右側面にはリブ１２ｂが嵌合するＴ字溝１２ｃを形成している。これらを組み合わせることによってスペーサ１２の横に同じ形のスペーサを溝１２ｃにリブ１２ｂを嵌合して並列に並べることが出来き、複数の室内機を接続する空気調和機においては、ターミナルを少スペースで配置することが出来る。また、スペーサ１２を互いにリブ１２ｂ、Ｔ字溝１２ｃにて結合することにより、スペーサを端子箱に取り付ける前にターミナル８，９に電装部７につながるリード線１７をあらかじめ配線することが出来、スペーサ１２の取り付け位置の誤りを防止することが出来る。
【００２０】
図５において、端子箱１１は金属で形成されており、凸部１１Ａを有する下端の端部をケーブル押え具１０を固定するねじの先端を覆う位置まで折り曲げてある。電源ケーブル１５、内外接続ケーブル１６は、空気調和機の設置工事時に取り付けられるものであり、ケーブル押え具１０を固定するねじ１８を誤って必要以上に長い物を使用した場合でも、折り曲げられた部分にねじ１８の先端が当たり、間違いを喚起することが出来、機械室４ａにある銅管などの部品をねじにより傷つけることを事前に防止することが出来る。
【産業上の利用可能性】
【００２１】
ターミナルを上下２段に積むことが出来るスペーサを端子箱の中に設置し、上下２段にタ−ミナルを配置する。これにより、ターミナルを収納する幅方向のスペースを小さくすることが出来機械室のスペースを大きく取ることが出来、特に室内機を複数台接続する空気調和機に有効である。
【図面の簡単な説明】
【００２２】
【図１】本発明の実施の形態における空気調和機の斜視図
【図２】本発明の実施の形態における空気調和機の端子箱の斜視図
【図３】本発明の実施の形態における空気調和機のスペーサの平面図
【図４】本発明の実施の形態における空気調和機のスペーサの斜視図
【図５】本発明の実施例の形態における空気調和機の端子箱の側面断面図
【図６】従来の空気調和機の斜視図
【図７】（ａ）従来の空気調和機の端子箱の側面断面図、（ｂ）同正面図
【符号の説明】
【００２３】
１  基盤
２  熱交換器
３  室外ファン
４  仕切り板
４ａ  機械室
５  圧縮機
６  バルブ
７  電装部
８  電源ターミナル
８ａ  端子ねじ
９  接続ターミナル
１０  ケーブル押え具
１１  端子箱
１２  スペーサ
１２ａ  爪
１２ｂ  リブ
１２ｃ  Ｔ字溝
１３  ビス
１４  ビス
１５  電源ケーブル
１６  内外接続ケーブル
１７  リード線
１８  ねじ
【図１】
2007285617.tif 000003
【図２】
2007285617.tif 000004
【図３】
2007285617.tif 000005
【図４】
2007285617.tif 000006
【図５】
2007285617.tif 000007
【図６】
2007285617.tif 000008
【図７】
2007285617.tif 000009